(57)【要約】      （修正有）【課題】縦框の見付け方向に操作ハンドルが突出して外観体裁が損われることなく、障子開放時の始動操作を確実に行える装置を提供する。【解決手段】サッシ枠１に障子２を移動自在に組付けた引違いサッシ等の引戸障子の戸先框３に装置基枠１３を収設する。該装置基枠１３には先端がばね付勢に抗して前記戸先框３より突出する押圧材５を横動自在に支持させる。そして、前記戸先框３に縦軸回動自在に組付けた操作ハンドル４に腕部片１１ａを突設し、該腕部片１１ａに前記押圧材５に連けいする駆動片１２を縦設する。【選択図】図３
2008127741.tif 000002
【特許請求の範囲】
【請求項１】
サッシ枠に障子を移動自在に組付けた引違いサッシ等の引戸障子において、障子の戸先框に装置基枠を収設し、該装置基枠に先端がばね付勢に抗して前記戸先框より突出する押圧材を横動自在に支持させると共に、前記戸先框に縦軸回動自在に組付けた操作ハンドルに腕部片を突設し、該腕部片に前記押圧材に連けいする駆動杆を縦設した、引戸障子の開放装置。
【発明の詳細な説明】
【技術分野】
【０００１】
本発明は、サッシ枠に障子を移動自在に組付けた引違いサッシ、片引きサッシ等の引戸障子の開放装置に関するものである。
【背景技術】
【０００２】
障子を閉塞した状態にある引戸サッシは障子が気密材を介してサッシ枠に密着した状態となり、障子開放操作の初期時にはこの密着状態から障子を自由にさせる必要がある。然しながら、近年の引戸の大型化などによる重量の増大が加わり、障子をサッシ枠見付け方向に動かすようにして見込み方向の密着状態を解放するには相当な腕力を要し、その改善が望まれていた。
【０００３】
このため、障子縦框側に操作レバーを装置し、該操作レバーを回動させることによって押圧部材をサッシ枠側の縦枠に圧接させて、すなわち、てこを利用して障子開放初動操作を行うようにしたもの（例えば、特許文献１）や、障子縦框側に回動自在に装置した操作レバーに永久磁石を固着し、レバーの回動により該永久磁石を回動変位させて縦枠側に設けた永久磁石に対向させ、この対向時に両磁石間の磁極の相異による反発力を利用して前記初動操作を行うようにした構造のもの（例えば、特許文献２）がある。
【０００４】
【特許文献１】特許第３５１２８７７号公報
【特許文献２】特開２００３−２１４０１０号公報
【発明の開示】
【発明が解決しようとする課題】
【０００５】
前記の従来例中、前者の場合は、操作レバーを縦框に見込み方向の横軸で組付けてあるので、該操作レバーは縦框の見付け幅内に納まらず、従って、障子のガラスパネルに部分的に見込み（屋内外）方向に重なり合って、外観体裁を低下させる。
【０００６】
また、後者の磁石の場合は、操作レバーに同軸にして枢着した円形状の磁石材の円周面に装置する一方、縦枠側には前記磁石材が係合する凹入面を設けてこれに縦框材の磁石の磁極と相反する磁極面とした磁石を装置した構成に係るから磁石間の大きな反発力を得るためにはその形状の関係から構造的に複雑で、凹入面に円周面（円形体）を係合する関係から前記磁石材は縦框（障子の戸先面）から突出させた状態に配置する必要があるから、特殊な障子にしか適用できないし、また、縦框から見付け方向への突出部の存在は引戸の障子としては実用性が有るものとはいえない。
【０００７】
本発明は斯様な従来例の欠点に着目し、障子開放時の始動操作を確実に行える装置を提供することを目的として創案したものである。
【課題を解決するための手段】
【０００８】
サッシ枠に障子を移動自在に組付けた引違いサッシ等の引戸障子において、障子の戸先框に装置基枠を収設し、該装置基枠に先端がばね付勢に抗して前記戸先框より突出する押圧材を横動自在に支持させると共に、前記戸先框に縦軸回動自在に組付けた操作ハンドルに腕部片を突設し、該腕部片に前記押圧材に連けいする駆動杆を縦設した、構成とするのである。
【発明の効果】
【０００９】
本発明によれば、障子閉塞状態時に操作ハンドルを回動させると、腕部片に設けた駆動片が押圧材を移動させて戸先框から突出させて縦枠側に圧接して障子の開放初期の始動をさせ、引戸障子の開放装置として好適である。
【００１０】
また、障子の始動操作を行う操作ハンドルは戸先框に縦軸回動自在に組付けたものであるから、戸先框の見付け幅を特別に幅広くしないで、該見付け幅内で操作ハンドルを納めて戸先框に装置することができ、外観体裁の良好な実用的な装置を提供できる。
【実施例】
【００１１】
図面は本発明に係る障子開放装置の一実施例を示し、図１はサッシの略示正面図、図２は本発明要部の縦断面図、図３は図２の横断面図、図４は障子を初期移動させた状態の横断面図、図５は一部の分解斜視図である。
【００１２】
実施例は、サッシ枠１に障子２を組付けて構成した引違いサッシの引戸障子に本発明を適用したものであるが、本発明は、片引きサッシ等の他の引戸形態のものにも適用できるものである。
【００１３】
そして、実施例のものは、障子２の戸先框３に該戸先框３に組付けた操作ハンドル４の操作によってばね付勢に抗して戸先框３（戸先面）より突出する押圧材５を装置し、該押圧材５の先端が前記サッシ枠１の縦枠６の戸当りに設けた補強片（樹脂製）７に圧接して障子開放の初動操作をさせるようにしたものである。
【００１４】
前記操作ハンドル４は、前記戸先框３の室内側面３ａに設けた縦長の長孔に嵌合して止着した開口枠８に部分的に係合し、開口枠８の相対する上下の部片８ａ，８ｂに架設した縦軸９によって前記開口枠８（を介して戸先框３）に縦軸回動自在に組付け、一端を該ハンドル４の基部に、他の一端を前記開口枠８（戸先框３）に係止して、前記縦軸９に巻回したばね１０によって平面視時計廻り方向に回動付勢させ、ハンドル４に連けいさせた前記押圧材５を戸先框３内に常時収納するようにしてある。
【００１５】
この操作ハンドル４には、やや平面視Ｌ字状の上下の腕部片１１ａ，１１ｂの基部側を縦部片１１ｃで接続した枠体の前記上、下の腕部片１１ａ，１１ｂの自由端側間に丸棒状の駆動杆１２を架設して構成した腕枠１１を、前記縦部片１１ｃ側の基端部を嵌合し、前記縦軸９によって組付けてあり、この腕枠１１の、前記操作ハンドル４より突出する、上下の腕部片１１ａ，１１ｂを、前記戸先框３に収設した装置基枠１３内に差し込み、その自由端側に設けた前記の駆動杆１２を前記装置基枠１３に横動自在に支持させた前記押圧材５に設けた係合間隙１４に係合して組合わせ押圧材５に連けいしてある。
【００１６】
装置基枠１３は、コの字形の枠主体１３ａの長手（上下）方向の両端を直角に折り返して取付部片１３ｂ，１３ｂを設けて成り、戸先框３の、縦枠６の戸当りに相対する框部片３´に設けた窓口２８を通じて枠主体１３ａ側から戸先框３内に収納し、取付部片１３ｂ，１３ｂにおいて戸先框３の前記框部片３´に固定したものである。
【００１７】
そして、この装置基枠１３の内側に前記押圧材５を配し、押圧材５は、主体枠１６と該主体枠１６の前記縦枠６側の端部に止着した、合成樹脂製の押圧子１５とで構成したもので、押圧材５を構成する前記主体枠１６は、方形板状の縦部片１６ａの上下両端に相対設した上、下部片１６ｂ，１６ｃを備え、該上、下部片１６ｂ，１６ｃの長手方向（障子見付け方向）の中間部に切欠を形成してこれを前記係合間隙１４と成し、該係合間隙１４に、前記の通り、駆動杆１２を係合させて押圧材５を前記操作ハンドル４に連けいさせ、また、前記縦部片１６ａの前記縦枠６側の一端を前記上部片１６ｂ等と同様にサッシ室内側に折り返して設けた接続部片１６ｄに前記押圧子１５を止着したものである。
【００１８】
そして、押圧材５は、主体枠１６の上、下部片１６ｂ，１６ｃに、設けた螺子孔２３に組付けボルト２０を螺合し、該組付けボルト２０の先端を装置基枠１３の枠主体１３ａの上、下部片１３ａ´，１３ａ´´に設けた一対の横長長孔１９，１９を通じて該上、下部片１３ａ´，１３ａ´´より突出させ、スペーサ２１を係合して装置基枠１３に組合わせたもので、前記押圧子１５側が前記戸先框３より前記ばね１０付勢に抗して突出して縦枠６側の補強片７（戸当り面）に圧接して障子開放の始動操作を行うものである。
【００１９】
そして、障子２の開放時に、操作ハンドル４を縦軸９を中心に回動付勢させると、縦軸９に巻回したコイルばね１０の付勢に抗して操作ハンドル４は回動する（図３において反時計廻り方向に）。操作ハンドル４には腕枠１１（腕部片１１ａ，１１ｂ）が突設してあるのでハンドル４に伴って回動し、腕部片１１ａ，１１ｂに装置した駆動杆１２は係合間隙１４に係合してあるので、該間隙１４を構成する押圧材５の上、下部片１６ｂ，１６ｃを押圧することになり、該上、下部片１６ｂ，１６ｃが一部を構成する主体枠１６に一体にして押圧材５を構成する押圧子１５は戸先框３より突出してサッシ枠をサッシ枠縦枠６の戸当り面に装置した補強片７を押圧し、その結果、戸先框３は縦枠６より離開し、障子２の初期開放が行われる（図４）。
【００２０】
そして、操作ハンドル４から手先を離すと、コイルばね１０の付勢によって各部は原位置に復帰し、押圧子１５は戸先框３内に収容される。
【図面の簡単な説明】
【００２１】
【図１】サッシの略示正面図。
【図２】本発明要部の縦断面図。
【図３】図２の横断面図。
【図４】障子を初期移動させた状態の横断面図。
【図５】一部の分解斜視図
【符号の説明】
【００２２】
１              サッシ枠
２              障子
３              戸先框
４              操作ハンドル
５              押圧材
１１ａ，１１ｂ  腕部片
１２            駆動杆
１３            装置基枠
【図１】
2008127741.tif 000003
【図２】
2008127741.tif 000004
【図３】
2008127741.tif 000005
【図４】
2008127741.tif 000006
【図５】
2008127741.tif 000007